(57)【要約】【課題】装置の基本的な機能を実行するような基本アイコンから、この基本アイコンに関連する関連アイコンを生成する際に、生成した関連アイコンの機能を直観的に把握することができるようにする。【解決手段】表示部３２は、ある機能の実行を選択するための基本アイコンと、この基本アイコンと関連性のある関連アイコンを含む操作画面を表示する。制御部３１は、基本アイコンを選択して新たなワンタッチアプリアイコン（関連アイコン）を生成する際に、選択された基本アイコンの属性情報を継承してワンタッチアプリアイコンを生成する。なお、制御部３１は、基本アイコンを選択して新たなワンタッチアプリアイコンを生成する際に、生成するワンタッチアプリアイコンの属性を選択するための画面において、選択した基本アイコンの属性が初期選択された状態で表示部３２に表示する。【選択図】図３
2018063507.tif 000002
【特許請求の範囲】
【請求項１】
ある機能の実行を選択するための基本操作子と、前記基本操作子と関連性のある関連操作子を含む画面を表示する表示手段と、
基本操作子を選択して新たな関連操作子を生成する際に、選択された基本操作子の属性情報を継承して関連操作子を生成する生成手段と、
を備えた情報処理装置。
【請求項２】
前記属性情報が、外形形状、表示色、設定項目の並び順および設定項目毎の表示・非表示選択情報のうちの少なくとも１つの情報または複数の情報の組み合わせである請求項１記載の情報処理装置。
【請求項３】
前記関連操作子は、利用者により予め設定された設定値が対応付けられていることを特徴とする請求項１又は２記載の情報処理装置。
【請求項４】
前記設定値が、前記基本操作子を選択することにより表示される画面において入力された値に基づいて設定されることを特徴とする請求項３記載の情報処理装置。
【請求項５】
前記生成手段は、基本操作子を選択して新たな関連操作子を生成する際に、生成する関連操作子の属性を選択するための画面において、選択した基本操作子の属性が初期選択された状態で前記表示手段に表示する請求項１から４のいずれか記載の情報処理装置。
【請求項６】
ある機能の実行を選択するための基本操作子と、前記基本操作子と関連性のある関連操作子を含む画面を表示する表示ステップと、
基本操作子を選択して新たな関連操作子を生成する際に、選択された基本操作子の属性情報を継承して関連操作子を生成する生成ステップとをコンピュータに実行させるためのプログラム。
【発明の詳細な説明】
【技術分野】
【０００１】
本発明は、情報処理装置およびプログラムに関する。
【背景技術】
【０００２】
特許文献１には、制御部が、ホーム画面の表示領域に配置するワンタッチ選択用ボタンがダイレクトスタートのワンタッチ選択用ボタンである場合、このダイレクトスタートのワンタッチ選択用ボタンが、確認画面を表示するワンタッチ選択用ボタンが配置可能な所定の領域に配置されることを禁止し、この所定の領域以外の領域に、ダイレクトスタートのワンタッチ選択用ボタンを配置するようにした処理装置およびプログラムが開示されている。
【０００３】
特許文献２には、複数の処理のうちのいずれかの処理への指示を受け付ける確認画面を表示するワンタッチ選択用ボタンおよびダイレクトスタートのワンタッチ選択用ボタンを表示部上に作成し、確認画面を表示するワンタッチ選択用ボタンにより指示を受けた場合には、確認画面を表示して再度指示を受けた後に処理を実行する一方、ダイレクトスタートのワンタッチ選択用ボタンにより指示を受けた場合には、再度の指示を受けずに処理を実行するようにした処理装置およびプログラムが開示されている。
【先行技術文献】
【特許文献】
【０００４】
【特許文献１】特開２０１５−１１４９１５号公報
【特許文献２】特開２０１５−１１５８４１号公報
【発明の概要】
【発明が解決しようとする課題】
【０００５】
本発明の目的は、装置の基本的な機能を実行するような基本操作子から、この基本操作子に関連する関連操作子を生成する際に、関連操作子の属性を設定するための操作を省くことが可能な情報処理装置およびプログラムを提供することである。
【課題を解決するための手段】
【０００６】
［情報処理装置］
請求項１に係る本発明は、ある機能の実行を選択するための基本操作子と、前記基本操作子と関連性のある関連操作子を含む画面を表示する表示手段と、
基本操作子を選択して新たな関連操作子を生成する際に、選択された基本操作子の属性情報を継承して関連操作子を生成する生成手段とを備えた情報処理装置である。
【０００７】
請求項２に係る本発明は、前記属性情報が、外形形状、表示色、設定項目の並び順および設定項目毎の表示・非表示選択情報のうちの少なくとも１つの情報または複数の情報の組み合わせである請求項１記載の情報処理装置である。
【０００８】
請求項３に係る本発明は、前記関連操作子が、利用者により予め設定された設定値が対応付けられていることを特徴とする請求項１又は２記載の情報処理装置である。
【０００９】
請求項４に係る本発明は、前記設定値が、前記基本操作子を選択することにより表示される画面において入力された値に基づいて設定されることを特徴とする請求項３記載の情報処理装置である。
【００１０】
請求項５に係る本発明は、前記生成手段が、基本操作子を選択して新たな関連操作子を生成する際に、生成する関連操作子の属性を選択するための画面において、選択した基本操作子の属性が初期選択された状態で前記表示手段に表示する請求項１から４のいずれか記載の情報処理装置である。
【００１１】
[プログラム]
請求項６に係る本発明は、ある機能の実行を選択するための基本操作子と、前記基本操作子と関連性のある関連操作子を含む画面を表示する表示ステップと、
基本操作子を選択して新たな関連操作子を生成する際に、選択された基本操作子の属性情報を継承して関連操作子を生成する生成ステップとをコンピュータに実行させるためのプログラムである。
【発明の効果】
【００１２】
請求項１に係る本発明によれば、装置の基本的な機能を実行するような基本操作子から、この基本操作子に関連する関連操作子を生成する際に、関連操作子の属性を設定するための操作を省くことが可能な情報処理装置を提供することができる。
【００１３】
請求項２に係る本発明によれば、装置の基本的な機能を実行するような基本操作子から、この基本操作子に関連する関連操作子を生成する際に、関連操作子の属性を設定するための操作を省くことが可能な情報処理装置を提供することができる。
【００１４】
請求項３に係る本発明によれば、装置の基本的な機能を実行するような基本操作子から、この基本操作子に関連する関連操作子を生成する際に、関連操作子の属性を設定するための操作を省くことが可能な情報処理装置を提供することができる。
【００１５】
請求項４に係る本発明によれば、装置の基本的な機能を実行するような基本操作子から、この基本操作子に関連する関連操作子を生成する際に、関連操作子の属性を設定するための操作を省くことが可能な情報処理装置を提供することができる。
【００１６】
請求項５に係る本発明によれば、基本操作子を選択して新たな関連操作子を生成する際に、利用者による属性の選択操作を必要とすることなく、基本操作子の属性を継承した関連操作子を生成することが可能な情報処理装置を提供することができる。
【００１７】
請求項６に係る本発明によれば、装置の基本的な機能を実行するような基本操作子から、この基本操作子に関連する関連操作子を生成する際に、関連操作子の属性を設定するための操作を省くことが可能なプログラムを提供することができる。
【図面の簡単な説明】
【００１８】
【図１】本発明の一実施形態の情報処理装置である画像形成装置１０を含む画像形成システムの構成を示す図である。
【図２】本発明の一実施形態における画像形成装置１０のハードウェア構成を示すブロック図である。
【図３】本発明の一実施形態における画像形成装置１０の機能構成を示すブロック図である。
【図４】本発明の一実施形態の画像形成装置１０における表示部３２の表示内容の一例を示す図である。
【図５】図４に示したホーム画面の表示内容を拡大したものを示す図である。
【図６】ワンタッチアプリの作成方法を説明するための図である。
【図７】ワンタッチアプリの作成方法を説明するための図である。
【図８】ワンタッチアプリの作成方法を説明するための図である。
【図９】ワンタッチアプリの作成方法を説明するための図である。
【図１０】ワンタッチアプリの作成方法を説明するための図である。
【図１１】ワンタッチアプリの作成方法を説明するための図である。
【図１２】ワンタッチアプリの作成方法を説明するための図である。
【図１３】ワンタッチアプリの作成方法を説明するための図である。
【図１４】ワンタッチアプリ作成後のホーム画面例を示す図である。
【図１５】基本アイコンであるコピーのアイコン４１に基づいてワンタッチアプリアイコン８０を生成する際に、属性が継承される様子を説明するための図である。
【発明を実施するための形態】
【００１９】
次に、本発明の実施の形態について図面を参照して詳細に説明する。
【００２０】
図１は本発明の一実施形態の情報処理装置である画像形成装置１０を含む画像形成システムの構成を示す図である。
【００２１】
本実施形態の画像形成システムは、図１に示されるように、ネットワーク３０により相互に接続された画像形成装置１０、および端末装置２０により構成される。端末装置２０は、印刷データを生成して、ネットワーク３０経由にて生成した印刷データを画像形成装置１０に対して送信する。画像形成装置１０は、端末装置２０から送信された印刷データを受け付けて、印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００２２】
次に、本実施形態の画像形成システムにおける画像形成装置１０のハードウェア構成を図２に示す。
【００２３】
画像形成装置１０は、図２に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、スキャナ１６、プリントエンジン１７を有する。これらの構成要素は、制御バス１８を介して互いに接続されている。
【００２４】
プリントエンジン１７は、帯電、露光、現像、転写、定着などの工程を経て印刷用紙等の記録媒体上に画像を印刷する。
【００２５】
ＣＰＵ１１は、メモリ１２または記憶装置１３に格納された制御プログラムに基づいて所定の処理を実行して、画像形成装置１０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００２６】
図３は、上記の制御プログラムが実行されることにより実現される画像形成装置１０の機能構成を示すブロック図である。
【００２７】
本実施形態の画像形成装置１０は、図３に示されるように、制御部３１と、表示部３２と、記憶部３３と、画像読取部３４と、通信部３５と、画像出力部３６とを備えている。
【００２８】
表示部３２は、いわゆるタッチパネル等の操作パネルにより構成され、画像形成装置１０に対する操作を受け付けたり、操作結果、処理結果等をユーザに示すために表示する。そして、表示部３２は、ある機能の実行を選択するための基本アイコンと、この基本アイコンと関連性のある関連アイコンを含む操作画面を表示する。
【００２９】
ここで、基本アイコンとは、コピー、スキャン、ファクシミリ送信、機器設定、認証設定等の画像形成装置１０の基本的な機能を実行するためのアプリケーションプログラム（以降アプリと略す。）又はプログラムを起動するためのアイコンである。また、関連アイコンとは、基本アイコンに基づいて生成されたワンタッチアプリアイコン等の基本アイコンに関連して生成されたアイコンを意味する。
【００３０】
また、基本アイコンと関連アイコンの区分けは上述したような場合に限定されるものではない。例えば、画像形成装置１０がユーザによるカスタマイズも行われていない初期状態において既に存在するアイコンを基本アイコンとして、初期状態には存在せずユーザによるカスタマイズにより生成されるアイコンを関連アイコンというように区分けすることも可能である。
【００３１】
そのため、サーバから新しいアプリを画像形成装置１０にインストールする場合には、インストールするアプリを起動するためのアイコンは基本アイコンになる場合と関連アイコンになる場合がある。具体的には、そのアイコンが基本アイコンに基づいて生成されているか否かにより区分けする場合には、そのアイコンは基本アイコンに基づいて生成されていないため基本アイコンに分類される。そして、画像形成装置１０の初期状態において存在するか否かにより区分けする場合には、そのアイコンは初期状態において存在しないことにより関連アイコンに分類される。
【００３２】
記憶部３３は、制御部３１による処理が行われる際の途中の画像データ等を一時的に記憶するためのメモリである。
【００３３】
画像読取部３４は、セットされた原稿を読取って画像データに変換する処理を行っている。
【００３４】
通信部３５は、端末装置２０等の外部装置との間でデータのソース受信を行い、端末装置２０からの印刷ジョブを受信したり、画像データをファクシミリ送信したり、電子メールの送受信等を行っている。
【００３５】
画像出力部３６は、制御部３１による指示に基づいて動作を行って、画像データを印刷用紙等の記録媒体上に印刷して出力する処理を実行する。
【００３６】
制御部３１は、表示部３２、記憶部３３、画像読取部３４、通信部３５、画像出力部３６等を制御して、印刷処理、複写処理、原稿画像の読取り処理等の様々な処理を実行している。
【００３７】
そして、制御部３１は、基本アイコンを選択して新たなワンタッチアプリアイコン（関連アイコン）を生成する際に、選択された基本アイコンの属性情報を継承してワンタッチアプリアイコンを生成する。
【００３８】
この属性情報とは、具体的には、アイコンの外形形状、表示色等のアイコンの見た目に関する情報や、アイコンの設定項目の並び順および設定項目毎の表示・非表示選択情報等のアイコン固有の画面における見た目に関する情報のうちの少なくとも１つの情報または複数の情報の組み合わせである。
【００３９】
さらに、この属性情報には、各ユーザがどのような機能を利用可能であるかを示す権限情報も含まれる。具体的には、権限情報には、あるユーザはコピーを許可されているが、別のユーザはコピーが禁止されている、または、あるユーザはカラー印刷を利用可能であるが別のユーザは白黒印刷のみ利用可能である等の設定内容が格納される。
【００４０】
なお、制御部３１は、基本アイコンを選択して新たなワンタッチアプリアイコンを生成する際に、生成するワンタッチアプリアイコンの属性を選択するための画面において、選択した基本アイコンの属性が初期選択された状態で表示部３２に表示する。
【００４１】
ここで、ワンタッチアプリ等の関連アイコンは、ユーザ（利用者）により予め設定された設定値が対応付けられている。そして、この設定値は、基本アイコンを選択することにより表示される画面において入力された値に基づいて設定される。
【００４２】
次に、本実施形態の画像形成装置１０における表示部３２の表示内容について説明する。先ず、本実施形態の画像形成装置１０における表示部３２の表示内容の一例を図４に示す。
【００４３】
図４では、画像形成装置１０の待機状態に示されるホーム画面が表示部３２に表示されている場合が示されている。このホーム画面の表示内容を拡大したものを図５に示す。
【００４４】
図５に示されたホーム画面例では、ある機能の実行を選択するための複数のアイコン４１〜４５が表示部３２の操作画面上に表示されている。
【００４５】
例えば、アイコン４１は、コピー機能の実行を選択するためのアイコンでありユーザが指でタッチして選択することによりコピーアプリケーションプログラムが起動してユーザはコピー機能を利用することができるようになる。
【００４６】
同様にアイコン４２〜４５は、それぞれ、スキャン機能、ファクシミリ機能、電子メール送受信機能、機器設定機能を実行するためのアイコンである。
【００４７】
ここで、アイコンとは、操作画面上に表示され、特定のアプリケーションプログラム（以下アプリと略す。）を起動させたり、特定の画面に遷移したりするための操作位置を示すための絵柄図形等により表現された操作子である。そして、この絵柄図形には、単にデザインされた図形だけでなく、アルファベット、ひらがな、カタカタ、漢字等の各種文字が含まれる場合もある。
【００４８】
ここで、図５に示したようなアイコン４１〜４５は、画像形成装置１０の基本的な機能を実行するための基本アイコンである。この基本アイコンを削除して、基本アイコンに対応したアプリを消去してしまうと、消去したアプリを再度インストールしないと基本アイコンに対応した機能を利用することができない。
【００４９】
そして、本実施形態の画像形成装置１０では、このような基本機能のアプリ以外に、ユーザ毎に機能をカスタマイズしたワンタッチアプリを生成することが可能となっている。
【００５０】
このようなワンタッチアプリの作成方法を図６〜図１３を参照して説明する。
【００５１】
先ず、ユーザはワンタッチアプリを作成したい基本機能のアイコンを選択する。ここでは、図６に示すように、ユーザが指７０によりコピー機能に対応したアイコン４１を選択したものとして説明する。
【００５２】
ユーザがコピー機能に対応したアイコン４１を選択したことにより、図７に示すようなコピー機能の各種設定項目の設定値を入力するような画面が表示される。図７では、印刷部数を「５」とする操作が行われる場合が示されている。
【００５３】
このコピーの操作画面には、表示部３２の表示領域以外にも各種設定値を入力するための画面が含まれているため、図８に示すように、ユーザは指７０により操作画面上を上方向に移動させることにより画面をスクロールさせ、下方の設定項目の画面を表示させる。
【００５４】
そして、図９に示すように、ユーザは、印刷部数以外の他の設定項目を操作して、ワンタッチアプリとして設定したい設定値を入力する。
【００５５】
上記のような方法により各種設定値の入力が終わり、図１０に示すように、ユーザが「登録する」と表記された登録ボタン５０を操作すると、入力した設定値の登録目的の選択画面が表示される。ここではユーザはワンタッチアプリを生成しようとしているため、表示された選択肢の中から「ワンタッチアプリとして登録」という選択肢を選択する。
【００５６】
すると、図１１（Ａ）のような、ワンタッチアプリの実行を選択するためのワンタッチアプリアイコンのテーマカラーの選択画面が表示部３２に表示される。ここでは、基本アイコンであるコピー機能のアイコン４１のテーマカラーが青色であったため、初期選択状態として青色が選択された状態となっている。
【００５７】
ユーザが初期選択状態を変更せずに「次へ」という表示を選択すると、テーマカラーは基本アイコンと同じ青色が選択されることになる。なお、ユーザは、生成されるワンタッチアプリアイコンのテーマカラーとして青色以外の別の色を選択することも可能である。
【００５８】
このようなテーマカラーの選択画面の次に、図１１（Ｂ）に示すように、アイコンの形状の選択画面が表示部３２に表示される。このアイコンの形状の選択画面では、生成されるワンタッチアプリアイコンの形状をユーザの希望により選択することが可能となっている。
【００５９】
そして、ワンタッチアプリアイコンの形状の選択が終わると、図１２（Ａ）に示すように、実行モードの選択が行われる。この実行モードでは、「即実行モード」と「確認後実行モード」という２つの実行モードが選択可能となっている。「即実行モード」とは、ワンタッチアプリアイコンが選択された場合、このワンタッチアプリアイコンに対応したワンタッチアプリを即座に起動して実行するような実行モードである。また、「確認後実行モード」とは、ワンタッチアプリアイコンが選択された場合、このワンタッチアプリアイコンに対応したワンタッチアプリを即座に起動せず、一度ユーザに対して何等かの確認画面を表示して、ユーザがワンタッチアプリの起動を指示した場合に初めてワンタッチアプリを起動する実行モードである。
【００６０】
図１２（Ａ）に示した画面では、「確認後実行モード」が選択された場合が示されている。
【００６１】
そして、「確認後実行モード」が選択された場合、図１２（Ｂ）に示すような、確認画面上においてユーザに表示される文章の入力画面が表示部３２上に表示される。
【００６２】
図１２（Ａ）では、「原稿をセットしてから「スタートボタン」を押してください。」という文章が入力された場合が示されている。
【００６３】
ここで、今回生成しているワンタッチアプリの基本アプリ（生成元アプリ：親アプリ）がコピー機能のアプリであるため、「スタートボタン」という単語が初期状態において入力されている。もし、生成しているワンタッチアプリに対応した基本アプリが電子メール機能のアプリの場合、「送信ボタン」をいう単語が初期状態で入力されているようになっている。つまり、生成するワンタッチアプリの生成元の基本アプリの種類に応じて、予め設定された単語が初期状態において入力されるようになっている。
【００６４】
このような確認画面上で表示される文書の入力が完了すると、図１３に示すようなワンタッチアプリの名称入力画面が表示される。
【００６５】
この図１３に示した名称入力画面では、生成するワンタッチアプリの名称を入力するような画面となっている。図１３に示した画面例では、「コピー（鈴木）」という名称がワンタッチアプリの名称として入力された場合が示されている。
【００６６】
上記の図６〜図１３において説明したような方法によりワンタッチアプリの生成処理が実行されると、図１４に示すように表示部３２の操作画面上には、生成されたワンタッチアプリに対応したワンタッチアプリアイコン８０が追加される。
【００６７】
ユーザがこのワンタッチアプリアイコン８０を選択することにより、ユーザが予め入力された設定値に基づいたコピー機能を実行することができ、頻繁に利用する設定値を予めワンタッチアプリとして設定しておくことにより、毎回設定値を変更するような操作を減らすことが可能となる。
【００６８】
そして、本実施形態では、制御部３１は、基本アイコンを選択して新たなワンタッチアプリアイコン等の関連アイコンを生成する際に、生成する関連アイコンの属性を選択するための画面において、選択した基本アイコンの属性が初期選択された状態で表示部３２に表示する。そのため、ユーザが、ワンタッチアプリアイコンを生成する際に、その属性を初期選択された状態のままとすることにより、選択された基本アイコンの属性情報を継承したワンタッチアプリアイコンが生成される。
【００６９】
具体的には、図１５に示すように、基本アイコンであるコピーのアイコン４１に基づいてワンタッチアプリアイコン８０を生成する際に、テーマカラーとして青色という属性が継承され、さらに、両面印刷、カラーモード等の各種設定項目の設定内容や設定項目の並び順、設定項目の表示／非表示等の属性がそのまま承継される。
【００７０】
また、基本アイコンにおいて許可された特定のユーザしかカラーモードによるコピー、印刷等を許可しないという制限が設定されている場合、この基本アイコンに基づいて生成されたワンタッチアプリアイコンにおいてもこのような制限情報を継承するようにしても良い。
【００７１】
このようにすることにより、カラーモードの出力権限を有しないユーザは、基本アイコンを選択してカラーモードによるコピーや印刷をできない場合、この基本アイコンに基づいて生成されたワンタッチアプリアイコンを選択してカラーモードによるコピーや印刷をすることはできない。
【００７２】
なお、基本アイコンから生成されたワンタッチアプリアイコンは、基本アイコンとは独立して存在するため、ワンタッチアプリアイコンが生成された後は、基本アイコンの属性を変更してもワンタッチアプリアイコンには何の影響も及ぼさない。
【００７３】
また、ワンタッチアプリアイコン等の関連アイコンをある基本アイコンに基づいて生成した場合、この基本アイコンと関連アイコンとはそれぞれ独立して存在するアイコンであるが、実態としてはある１つのアイコンの機能を利用した処理を実行するものであっても良い。
【００７４】
逆に、ワンタッチアプリアイコン等の関連アイコンをある基本アイコンに基づいて生成した場合、この基本アイコンを選択した場合に起動するアプリとは別に、関連アイコンを選択した場合に起動するアプリが生成されて、基本アイコンと関連アイコンとはそれぞれ異なるアプリを起動して処理を実行するものであっても良い。
【００７５】
[変形例]
上記実施形態では、画像形成装置に対して本発明を適用した場合を用いて説明したが、本発明はこれに限定されるものではなく、スマートフォン、タブレット端末装置、携帯電話装置、ノートパソコン等の、画面上にアイコンを表示する各種情報処理装置に対しても同様に本発明を適用することができるものである。
【符号の説明】
【００７６】
１０    画像形成装置
１１    ＣＰＵ
１２    メモリ
１３    記憶装置
１４    通信インタフェース（ＩＦ）
１５    ユーザインタフェース（ＵＩ）装置
１６    スキャナ
１７    プリントエンジン
１８    制御バス
２０    端末装置
３０    ネットワーク
３１    制御部
３２    表示部
３３    記憶部
３４    画像読取部
３５    通信部
３６    画像出力部
４１〜４５    アイコン
６０    カスタマイズボタン
７０    指
８０    ワンタッチアプリアイコン
【図１】
2018063507.tif 000003
【図２】
2018063507.tif 000004
【図３】
2018063507.tif 000005
【図４】
2018063507.tif 000006
【図５】
2018063507.tif 000007
【図６】
2018063507.tif 000008
【図７】
2018063507.tif 000009
【図８】
2018063507.tif 000010
【図９】
2018063507.tif 000011
【図１０】
2018063507.tif 000012
【図１１】
2018063507.tif 000013
【図１２】
2018063507.tif 000014
【図１３】
2018063507.tif 000015
【図１４】
2018063507.tif 000016
【図１５】
2018063507.tif 000017